(57)【要約】【課題】歩行障害の初期から中期に対応して使用することができる杖を提供すること。【解決手段】長く延びる棒状の部材の一端を接地させて使用する歩行用の杖２０であって、前記棒状部材でなる本体２５と、該本体の前記一端に設けられる接地部２４と、前記本体を使用者が把持するための把持部２３とを有しており、前記把持部が、前記本体の延びる方向とほぼ直交する方向に延びる第１把持部２１と、該第１把持部よりも上方に設けられ、前記本体のほぼ延長線上に延びる第２把持部２２とを備える。【選択図】図１
2007330693.tif 000002
【特許請求の範囲】
【請求項１】
長く延びる棒状の部材の一端を接地させて使用する歩行用の杖であって、
前記棒状部材でなる本体と、
該本体の前記一端に設けられる接地部と、
前記本体を使用者が把持するための把持部と
を有しており、
前記把持部が、
前記本体の延びる方向とほぼ直交する方向に延びる第１把持部と、
該第１把持部よりも上方に設けられ、前記本体のほぼ延長線上に延びる第２把持部と
を備えることを特徴とする、杖。
【請求項２】
前記第１把持部が、前記本体の延びる方向と直交する方向に対して、僅かに前下がりとなるよう傾斜して延びる形態とされていることを特徴とする請求項１に記載の杖。
【請求項３】
前記第１把持部と第２把持部を連結する部分が外方に突出した湾曲部を有することを特徴とする請求項１または２のいずれかに記載の杖。
【請求項４】
前記本体はその長さを調整するための手段を備えることを特徴とする請求項１ないし３のいずれかに記載の杖。
【請求項５】
長く延びる棒状の部材の一端を接地させて使用する歩行用の杖であって、
前記棒状部材でなる本体と、
該本体の前記一端に設けられる接地部と、
前記本体を使用者が把持するための把持部と
を有しており、
前記把持部が、
該把持部を前記本体の延びる方向とほぼ直交する方向に配置させるための第１装着部と、
該把持部を前記本体の延びる方向とほぼ一致する方向に配置させるための第２装着部とを備えることを特徴とする、杖。
【発明の詳細な説明】
【技術分野】
【０００１】
この発明は、例えば加齢に伴い、歩行に困難が生じ始めた人が使用するための歩行用の杖の改良に関する。
【背景技術】
【０００２】
加齢や身体の障害などの影響で歩行に困難が生じることがある。困難性の程度は加齢や障害の程度によりさまざまであるが、例えば、加齢の場合では、背筋の作用が弱くなるなどの身体の衰えを原因として、身体が次第に前傾状態となる。
前傾姿勢で歩行すると、通常の歩行におけるような大きな歩幅で、踵から接地する歩き方ではなく、歩幅が小さくなって、足裏全体が接地するような歩行となる。また、前傾姿勢のため、転倒の不安を感じるようになる。
【０００３】
このため、多くの高齢者は、杖を携行し、歩行の際に、身体の支持を目的として、自己の前方に杖をつくという歩き方がよく見られる。
また、高齢者に限らず、歩行の補助が必要な場合に用いられる日常の道具として古くから使われている杖についても、近年は、特に、歩行者が自己の体重を支えやすいように工夫した種々の杖が提案されている（特許文献１、２）。
【０００４】
【特許文献１】特開２００５−４０５６９号
【特許文献２】特許第３３０９３５７号
【発明の開示】
【発明が解決しようとする課題】
【０００５】
これら特許文献１や特許文献２の杖は、主として、障害者などが立ち上がることを有効に補助するために独自の構成としたものであって、本発明における以下のような課題に対応するものではない。
すなわち、例えば、加齢が進んで、次第に歩行が困難になる過程には段階があり、その間に使用される杖が果たすべき役割も、そのような段階によって異なっている。
【０００６】
具体的には、歩行時の前傾があまり極端ではなく、通常の歩行とほぼ異ならない歩行をすることができるが、僅かな前傾や、もしくは筋力の衰えなどにより、歩行時には不安定感を自覚して、転倒の不安を持っているといった歩行障害の初期の段階がある。
この段階では、歩行時に両足を運ぶ位置の前方で、杖による支えを必要とはするものの、歩行者の体重を本格的に支えるというよりは、歩行のリズムつかんで、左右の足運びを助けるために、保持した杖の接地部である石突きを、リズムよく突くことで、前傾とならずに歩行する助けとする段階がある。
このような段階では、上述の特許文献１、２の各構成の杖は、全く不向きである。
【０００７】
すなわち、歩行障害の初期であるごく軽度の歩行障害がある人が、これらの杖を用いると、杖に体重をかけて歩行する傾向を助長していまい、かえって杖に体重をかける歩行姿勢である前傾姿勢を進行させてしまう弊害がある。
【０００８】
また、加齢が進んで、例えば、より前傾姿勢が強くなったり、膝等に障害が出ると、上述の段階よりは歩行に伴う転倒の可能性が増し、歩行で足を運ぶ位置の前方で、杖によりその体重をかなり支える必要が生じるという歩行障害の中期以降の段階がある。
歩行障害の初期から中期への移行は、人によって異なるし、中期以降の段階から姿勢矯正などの成果により歩行障害の初期の段階に戻るという場合もある。
特に、高齢者の介護の過程や、障害者のリハビリなどにおいては、このような回復はおおいに歓迎されるべきことであることは言うまでもない。
しかしながら、従来、歩行障害の初期と中期を通して、また上記リハビリ中における使用に適した杖は検討されていないし、提供されてもいない。
【０００９】
この発明は、上述の課題を解決するためになされたもので、歩行障害の初期から中期に対応して使用することができる杖を提供することである。
【課題を解決するための手段】
【００１０】
上記目的は、第１の発明にあっては、長く延びる棒状の部材の一端を接地させて使用する歩行用の杖であって、前記棒状部材でなる本体と、該本体の前記一端に設けられる接地部と、前記本体を使用者が把持するための把持部とを有しており、前記把持部が、前記本体の延びる方向とほぼ直交する方向に延びる第１把持部と、該第１把持部よりも上方に設けられ、前記本体のほぼ延長線上に延びる第２把持部とを備える杖により、達成される。
【００１１】
第１の発明の構成によれば、前記第１把持部が杖の前記本体の延びる方向と直交する方向に延びていることから、使用者は、該第１把持部を上から掴むように保持することにより、体重の一部をかけるようにして、手掌や腕全体等で体重を支えながら歩行する際の支えとして使用することができる。このような杖の使用法は、上述したように、高齢者の場合には、加齢が進んで、歩行障害の中期以降に、歩行姿勢における前傾がかなり大きくなっている段階に適している。
これに対して、該第１把持部よりも上方で、前記本体のほぼ延長線上に延びる第２把持部が設けられている。すなわち、第２の把持部は、縦方向に延びているので、使用者は、手掌を横に向けて、第２の把持部に当てて、これを握るようにして、保持することになる。しかも、その保持位置は、第２の把持部が前記第１把持部よりも上方に設けられていることから、第１の把持部よりも高い位置で握ることなる。このため、体重をかけることには適していないが、肘を曲げた状態で前傾姿勢にならないようにしつつ、極端に遅くならないように歩行のリズムをとるために、縦方向にあまり大きな距離にならない範囲で腕を振りながら歩行することができる。しかも、前記本体のほぼ延長線上に延びているため、バランスが崩れることなく安定して歩行することができる。これにより、歩行障害の初期の時期に対応して、僅かな前傾による歩行時のバランスを、歩行のステップの前方にリズム良く杖をつくことで、補うことができる。
かくして、歩行障害の初期から中期に対応して使用することができる杖を提供することができる。
【００１２】
第２の発明は、第１の発明の構成において、前記第１把持部が、前記本体の延びる方向と直交する方向に対して、僅かに前下がりとなるよう傾斜して延びる形態とされていることを特徴とする。
第２の発明の構成によれば、第１把持部を握って前記傾斜の低い方を前方に向けて歩行することにより、前記第１把持部をほぼ水平に保持すると、杖の前記接地部が僅かに前方を向くから、杖を前に出しやすく、前傾の度合いを矯正して、歩幅を広める効果が期待できる。
【００１３】
第３の発明は、第１または２のいずれかの発明の構成において、前記第１把持部と第２把持部を連結する部分が外方に突出した湾曲部を有することを特徴とする。
第３の発明の構成によれば、縦に延びる第２把持部を握って保持している状態で、上から体重をかけることがあっても、握った部分が下方に滑って位置がずれてくる場合に、前記湾曲部の始まる箇所で止まるので、保持位置が第２把持部から外れない。
【００１４】
第４の発明は、第１ないし３のいずれかの発明の構成において、前記本体がその長さを調整するための手段を備えることを特徴とする。
第４の発明の構成によれば、使用者の身長や、前傾度合いに対応した各把持部の位置を調整して選ぶことができる。
【００１５】
また、上記目的は、第５の発明にあっては、長く延びる棒状の部材の一端を接地させて使用する歩行用の杖であって、前記棒状部材でなる本体と、該本体の前記一端に設けられる接地部と、前記本体を使用者が把持するための把持部とを有しており、前記把持部が、該把持部を前記本体の延びる方向とほぼ直交する方向に配置させるための第１装着部と、該把持部を前記本体の延びる方向とほぼ一致する方向に配置させるための第２装着部とを備えることを特徴とする。
【００１６】
第５の発明の構成によれば、前記把持部を前記第１装着部を用いて、前記本体の延びる方向とほぼ直交する方向に配置することができる。この場合、使用者は、該把持部を上から掴むように保持することにより、体重の一部をかけるようにして、手掌や腕全体等で体重を支えながら歩行する際の支えとして使用することができる。このような杖の使用法は、上述したように、高齢者の場合には、加齢が進んで、歩行障害の中期以降に、歩行姿勢における前傾がかなり大きくなっている段階に適している。
これに対して、該把持部を前記第２装着部を用いて、前記本体の延びる方向とほぼ一致する方向に配置させると、この把持部は、縦方向に延びているので、使用者は、手掌を横に向けて、該把持部に当てて、これを握るようにして、保持することになる。このため、体重をかけることには適していないが、肘を軽く曲げた状態で前傾姿勢にならないようにしつつ、極端に遅くならないように歩行のリズムをとるために、縦方向にあまり大きな距離にならない範囲で上下動させながら歩行することができる。しかも、前記本体とほぼ一致する方向に延びているため、バランスが崩れることなく安定して歩行することができる。これにより、歩行障害の初期の時期に対応して、僅かな前傾による歩行時のバランスを、歩行のステップの前方にリズム良く杖をつくことで、補うことができる。
かくして、歩行障害の初期から中期に対応して使用することができる杖を提供することができる。
【発明を実施するための最良の形態】
【００１７】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、本発明の第１の実施形態に係る杖を使用する状態を示す説明図であり、図２は第１実施形態の杖の分解図である。
図１および図２において、杖２０は、長い棒状の部材でなる本体２５と、本体２５の一端に設けられる接地部２４と、該接地部２４は反対の端部、すなわち、上端に配置され、使用者Ｕが把持するためのる把持部、すなわち杖２０の把手部分２３と、この把手部分２３の一部であって、本体２５の延びる方向とほぼ直交する方向に延びる第１把持部２１と、該第１把持部２１よりも上方に設けられ、本体２５のほぼ延長線上に延びる第２把持部２２とを備えている。
【００１９】
棒状の部材である本体２５は、軽くて、丈夫な材料で形成されるのが好ましく、錆びにくいものが適しており、例えばアルミニウムやチタン、カーボン、もしくはその合金等で形成されている。本体２５は軽くするためにパイプ体であり、筒状のやや太い第１部材２６と、この第１部材２６の内側にスライド式に入り込むようにした長尺の第２部材２７を含んでいる。第２部材２７の先端部には、接地部としての石突２４が取り付けられている。石突２４は摩擦抵抗を持たせられる柔軟な材料で形成するのが好ましく、例えば合成ゴムやエラストマーにより形成されている。
【００２０】
第１部材２６内の下端にはリング３１ａおよび抜け止めネジ３１を介して、第２部材２７が抜けないように固定され、かつ第２部材２７は、第１部材２６内にスライド式に入り込んで、軸方向に伸縮自在であるテレスコピック式の本体２５を形成している。
また、第２部材２７は、第１部材２６内にスライド式に伸縮移動するその移動位置において、固定されることで、本体２５の長さを調整する調整手段、つまり杖２０の長さ方向の長さ調整手段が形成されている。
【００２１】
この実施形態では、調整手段は例えば、第１部材２６の側面に形成した調整孔２８と、第２部材２７の側面から、径方向に出没する止めピン２９を含んでいる。
調整孔２８は、第１部材２６の側面に、その長さ方向に沿って、等間隔に一列に形成された複数の貫通孔２８ａ，２８ｂ，２８ｃ・・・・を有している。
止めピン２９は、第２部材２７の上端付近の側面から突出するピンであって、バネなどを用いて、常に突出するように付勢されているととともに、ピンに対して、その長さ方向に沿って、付勢手段に抗する力が加えられることで、該ピンが第２部材２７内に入り込むようになっている。
【００２２】
これにより、第１部材２６の中を軸方向にスライドする第２部材２７の止めピン２９が調整孔２８のいずれかの貫通孔２８ａなどの直下に位置すると、止めピンが当該貫通孔に入り込むことにより、第１部材２６と第２部材２７の相対的な移動は阻止され、本体２５の長さは固定される。
また、使用者が手指にて、止めピンを上から押し込み、いずれかの貫通孔との係合を解除すると、ふたたび第２部材２７は、第１部材２６内を摺動することができる。これにより、杖２０の長さが任意に調整される。
なお、パイプ体である第２部材２７の上端には、パイプを塞ぐキャップ３２が固定されており、これにより、第２部材２７が第１部材２６内を軸方向にスライドする際のガタツキや、本体２５に斜めに負荷がかかった際の歪みを防止している。
【００２３】
本体２５の上端には、グリップ部２３が形成されている。グリップ部２３は、使用者が手で持つ部分であり、第１部材２６の上端に、溶接等により接合されたパイプで形成されており、好ましくは表面部には発泡ウレタンや発泡ゴム、シリコーン、エラストマーなどの柔軟な材料が配置されている。
グリップ部２３は、図示されているような変形Ｓ字状の形態で、ほぼ中央部に本体２５の延びる方向であるＹ方向とほぼ直交する第１の把持部２１が形成されており、それより上端側には、外方、すなわち−Ｘ方向に向かって突出するよう湾曲した湾曲部３３を介して、本体２５の仮想の中心軸Ｃに沿って、該中心軸Ｃと同じ方向に延びる第２の把持部２２が形成されている。ここで矢印に示すように、−Ｘの方向は杖を用いて歩行をする際の前方に対応している。
【００２４】
また、グリップ部２３の上端部はキャップ３４により閉止されている。
なお、本実施の形態では、このキャップ３４の上端は平坦状にされているが、キャップ３４の上端を手掌で把持できる程度の、グリップ部２３と同等か僅かに大きな直径の略球体とすることで、杖２０の上端に設けられた略球体部を、静止している際に安定して起立できるように握ったり、歩行時に軽く握って使用できるよう構成してもよい。
さらに、第１把持部２１は、本体２５の仮想の中心線Ｃの延びる方向と直交する方向Ｈに対して、角度θだけ傾斜して延びる形態とされている。つまり、水平な線Ｈに対して、第１把持部２１は、前方側が僅かに低くなる前下がりの傾斜を示しており、その傾斜角θは、約１０度程度である。
第１把持部２１の後端からは、さらに外方に（後方に）突出しながら湾曲しており、上記湾曲部３３を第１の湾曲部とすると、この後方に湾曲する湾曲部を第２の湾曲部３０として、その端部が垂直にされて、本体２５の第一部材２６と溶接などにより接合されている。なお、グリップ部２３のパイプを第一部材２６と溶接するのではなく、第一部材２６を延伸して湾曲させて形成してもよく、溶接ではなく嵌合やねじ止め等で固定してもよい。また、グリップ部２３のパイプの湾曲を行いやすいよう、例えば第一把持部２１の略中央で、上側と下側をそれぞれ湾曲させた異なるパイプを溶接等で一体にしてもよい。
そして、第１把持部２１における頂点側の中央部Ｐに対して、第２把持部２２の下端部Ｑ（湾曲部３３との接続部）が約１１ｃｍ程度離れて形成されており、使用者が自らの体形に応じて長さ調整手段２８を調整することで、各把持部２１，２２を握った際に適切な肘の角度となる構成とされている。
【００２５】
本実施形態は、以上のように構成されており、図１を参照しながら、その作用を説明する。
図１（ａ）は、歩行障害の程度が低い場合の使用例であり、図１（ｂ）は歩行障害がより進んだ場合の使用例を示している。
歩行障害が生じる例として、高齢者の場合を説明すると、加齢により背筋を中心とした姿勢を保持するための筋肉の働きが衰えると、歩行時に、身体が次第に前傾状態となる。
この段階では、やや前傾姿勢で歩行し、通常の歩行におけるような大きな歩幅で、踵から接地する歩き方ではなく、歩幅が小さくなって、足裏全体が接地するような歩行となる。また、前傾姿勢になることから、主として前方への転倒の不安を感じるようになる。
このため、図１（ａ）に示すように、歩行の際に、支持を目的として、自己の前方に杖２０を突いて歩くと、実際の安全はもとより、心理的にも安全感が得られる。
【００２６】
図１（ａ）に示すように、杖２０の第２の把持部２２は、縦方向（＋Ｙ方向）に延びているので、使用者Ｕは、肘を約９０度程度曲げて、手掌を横に向け、縦に延びる第２の把持部２２に当てて、これを握るようにして、図示のように保持し、歩行することになる。
この場合、杖２０においては、使用者Ｕが杖２０を保持している保持位置は比較的高い。つまり、杖２０では第２の把持部２２が第１把持部２１よりも上方に設けられていることから、第１の把持部２１よりも高い位置で握ることなる。このため、体重をかけて、杖２０で支えることにはあまり適していない。しかし、極端に遅い訳ではない歩行のリズムをとるために、縦方向に、あまり大きな距離にならない範囲で矢印に示すように、上下動させるように腕を振りながら歩行することができる。これにより、歩行により足を運ぶ箇所の前方に、リズム良く腕を振りながら杖２０を突くことで、僅かな前傾による歩行時のバランスを、補うことができる。そして、第２把持部２２は本体２５のほぼ延長線上に延びているため、バランスが崩れることなく安定して歩行することができる。
【００２７】
しかも、第１把持部２１と第２把持部２２を連結する部分が外方に突出した湾曲部３３を有しているので、図１（ａ）のように、使用者Ｕが、縦に延びる第２把持部２２を握って保持している状態で、上から体重をかけることがあっても、握った部分が下方に滑って位置がずれてくる場合に、湾曲部３３の始まる箇所で止まるので、保持位置が第２把持部２２から外れることがなく、安定して保持できる。
【００２８】
これに対して、加齢の進行などにより、歩行時の前傾姿勢がより強くなった使用者Ｕでは、図１（ｂ）に示すように、杖２０を使用することになる。
すなわち、杖２０にあっては、第１把持部２１が杖２０の本体２５の延びる方向（図２の仮想の中心線Ｃ参照）とほぼ直交する方向に延びていることから、立った状態の使用者Ｕは、約１５０度程度肘が開いた状態、つまり殆ど肘を伸ばして、該第１把持部２１を上から掴むように保持する。これにより、体重の一部あるいはかなりの体重をかけるようにして、歩行の際の支えとして使用することができる。
しかも、図２に示すように、第１の把持部２１のほぼ中央部Ｐが、本体２５の仮想の中心線Ｃと一致するか、その近傍となるようにされているので、図１（ｂ）のように体重を預けるように歩行する際に、体重を杖２０の軸線上に位置させることができ、適切に支持されることなる。
【００２９】
さらに、第１把持部２１は、本体２５の仮想の中心線Ｃの延びる方向と直交する方向Ｈに対して、角度θだけ傾斜して、前方側が僅かに低くなる前下がりの傾斜を有している（図２参照）。このため、図１（ｂ）に示すように、使用者Ｕは、第１把持部２１を握って傾斜の低い方が前方に位置するよう歩行する際に、この第１把持部をほぼ水平に保持すると、杖２０の接地部２４が僅かに前方に配置されるから、杖２０を前に出しやすい。しかもこのことにより、使用者Ｕの歩行において、前傾の度合いを矯正して、歩幅を広める効果が期待できる。
しかも、第１把持部２１と第２把持部２２が適切な距離だけ離間しているため、長さ調整手段２８で調整しなくても、体調等に応じて握る位置を選択することもできる。
このように、本実施形態によれば、歩行障害の初期から中期に対応していずれの期間においても使用者が選択して使用することができる杖２０を提供することができる。
【００３０】
図３および図４は、第２の実施形態の要部を示している。
すなわち、図３は第２の実施形態の杖のグリップ部２３−１の概略平面図、図４はグリップ部２３−１の概略側面図であり、その他の構成は第１の実施形態と同じである。また、第１の実施形態と同一の符合を付した箇所は共通する構成であるから、以下、重複する説明は省略し、相違点を中心に説明する。
【００３１】
第２の実施形態のグリップ部２３−１は、第１の実施形態のグリップ部２３がほぼＳ字状に形成されることで、縦方向にやや大きい構成であることに対して、この実施形態では、グリップ部２３−１が平面方向に拡がるように湾曲されることで、縦方向のサイズを小さくしたものである。
【００３２】
図３および図４を参照して理解されるように、グリップ部２３−１は、本体２５を通る仮想の中心（軸）線Ｃに沿って上端で起立する第２把持部２２−１を有している。
そして、この仮想の中心（軸）線Ｃから外方に下降して傾斜しながら湾曲する第１の湾曲部４１と、さらに下降して傾斜しながら、上記中心（軸）線Ｃに戻る第２の湾曲部４２を備えており、所謂スパイラル状にグリップ部２３−１が形成されている。
この第２の湾曲部４２が、そのまま第１把持部２１−１として使用することができる。
第２の実施形態は以上のように構成されており、第１の実施形態と同様に使用され、同様の作用効果を発揮できるが、グリップ部の縦方向の寸法が小さい利点を有している。
【００３３】
図５および図６は、第３の実施形態を示している。
すなわち、図５は第３の実施形態の杖の分解図、図６はグリップ部の概略側面図である。図５および図６の実施形態において、第１の実施形態と同一の符合を付した箇所は共通する構成であるから、以下、重複する説明は省略し、相違点を中心に説明する。
【００３４】
第３の実施形態の杖２０−１は、第１の実施形態の杖２０と比べると、グリップ部の形態が相違するだけで、以下に説明する点を除き、他の構成は同じである。
この実施形態では、グリップ部２３−２は、第１の実施形態のグリップ部２３よりもはるかにコンパクトでありながら、以下に説明する構成により、ほぼ同一の機能を発揮することができる。
【００３５】
図６に示すように、グリップ部２３−２は、一方向にやや長い形態であり、本体２５の第１部材２６を装着するための第１装着部４３と、第２装着部４４とを備えている。第１装着部４３は、把持部を本体２５の延びる方向とほぼ直交する方向に配置させるための装着部であり、第２装着部４４は、把持部を本体２５の延びる方向とほぼ一致する方向に配置させるため装着部である。
【００３６】
具体的には、図６に示すように、合成樹脂成型品もしくは木製などでなる細長いグリップ部２３−２は、その一端部に、該グリップ部２３−２の長さ方向に穿設された取付け孔である第２の装着部４４を有している。また、グリップ部２３−２はその側面部において、中央から、上記第２の装着部４４の取付け孔を避けるようにして、やや一方に寄った位置に穿設された第１の装着部４３を有している。両装着部は同じ構造であるから、図６を参照して第２の装着部４４の構成だけを説明する。
【００３７】
先ず、この実施形態では、例えば、本体２５の第１部材２６の先端には、細い径とした取付け部先端２６ｂが形成され、その外周には雄ネジが形成されている。第１部材２６先端の上記取付け先端部２６ａの根元部分はやや拡径されており、ロックナット４５が装着されている。ロックナット４５のやや広くなった基部の筒状の内周には、雌ネジ４８が形成されており、第１部材２６先端の拡径部分に形成した雄ネジ２６ａと螺合するようになっている。すなわち、第１部材２６先端の拡径部分にロックナット４５を装着して回動させると、矢印ＲもしくはＵＲの方向に該ロックナット４５が移動するようになっている。
第２装着部４４の取付け孔の奥側には細い径の螺合孔があり、内周に雌ネジ部４６が形成されている。
【００３８】
第１部材２６先端の拡径部分にロックナット４５を装着し、第２装着部４４である取付け孔に挿入する。そして、第１部材２６を軸回りに回転させて、雄ネジ２６ａを締め込むと、第１部材２６の取付け部先端２６ｂは、第２装着部４４の取付け孔の奥側にある細い径の螺合孔と螺合される。この状態でロックナット４５を締め込み方向に回転させると、ロックナット４５はＲ方向にスライドし、緩いテーパ面であるその傾斜外周面が、第２装着部４４の開口内側の傾斜面４７に圧接される。これにより、グリップ２３−２と本体２５とは強固に結合される。
この状態で、グリップ２３−２は、図２において、Ｙ方向に延びており、本体２５の仮想の中心（軸）線Ｃと同じ方向に長い形態である。したがって、第１の実施形態における第１把持部として使用することができる。
しかも、第２装着部４４が形成された側のグリップ２３−２の端部には、フランジ部４４ａが形成されているため、握った手が滑ってしまうことがない。
【００３９】
次に、ロックナット４５を上記逆に回転させると、該ロックナット４５は矢印ＵＲの方向にスライドし、上記圧接が解除される。次いで、第１部材２６を上記と反対に回転させると、第１部材２６の取付け部先端２６ｂの第２装着部４４の取付け孔の奥側にある細い径の螺合孔に対する螺合が外れるので、グリップ部２３−２を杖本体２５から簡単に取り外すことができる。
次いで、グリップ部２３−２の向きを代えて、図５に示すようにほぼ水平とし、第１部材２６の取付け部先端２６ｂを第１装着部４３の取付け孔に挿入して、上述したように取付けると、図５に示すような状態となる。
すなわち、グリップ部２３−２は、杖本体２５の仮想の中心（軸）線Ｃに対してほぼ直交するので、第１の実施形態における第２の把持部として使用することができる。
この時のグリップ部２３−２の状態は、第１の実施の形態と同様に、仮想の中心線Ｃと直行する方向Ｈに対して前方側が僅かに低くなる前下がりの傾斜とされている。そして、第１装着部４３の上部には、凹部４３ａが設けられていることで、手掌にフィットする。
【００４０】
以上により、本実施形態は、簡単な操作によりコンパクトなグリップ部２３−２を用いて、第１の実施形態と同様の作用効果を得ることができるものである。
ここで、本実施形態（他の実施形態にも適用することができる）の長さの調整手段２８は、符合２８−１として模式的に示すように、複数もしくは多数設ける貫通孔２８ｄ，２８ｅ，２８ｅなどを繋げて無段階に調整できるようにしてもよい。これにより、よりきめ細かな長さ調整をすることができる。そして、本実施の形態では、第２装着部４４に装着した状態から第１装着部４３に装着した状態に切り替える際には、肘の角度が適切になるようこの調整手段２８−１を操作すればよい。
また、本実施形態では、石突き２４−２は、例えば合成ゴムやエラストマー製として、先端の広い接地面３５から外径を細くした縮径部３６を備えるようにしてもよい。これにより、杖２０−１の起立角度が多少変化しても、縮径部３６を曲折させることができ、接地面３５を接地させたままとすることができる。
【００４１】
本発明は上述の実施形態に限定されない。
例えば、グリップ部は、第１把持部と第２把持部や、第１装着部と第２装着部が形成できれば、例えば手掌の形に対応した形状等、上述の各実施形態以外の形状とすることができる。同様に湾曲部３３や４１等の接続部は、曲面状ではなく例えばコ字状とする等、上述の各実施形態以外の形状とすることができる。杖の本体はさらに多段のテレスコピックとしてもよい。また、より杖に体重をかけて使用できるよう、キャップ３４を着脱可能として、キャップ３４の代わりに、腋下まで延伸されて当接することで、体重を支えられる所謂松葉杖となる腋下用部材をキャップ３４に代えて装着できるよう構成してもよい。
上述の各実施形態における各構成は相互に組み合わせたり、必要により、その一部を省略したり、他の構成と入れ換えて、異なる構成の組み合わせのもとで実施されてもよい。
【図面の簡単な説明】
【００４２】
【図１】本発明の第１の実施形態に係る杖の使用状態の説明図。
【図２】図１の杖の概略分解図。
【図３】本発明の第２の実施形態の杖のグリップ部の概略平面図。
【図４】本発明の第２の実施形態の杖のグリップ部の概略側面図。
【図５】本発明の第３の実施形態の杖の概略分解図。
【図６】本発明の第３の実施形態の杖のグリップ部の概略側面図。
【符号の説明】
【００４３】
２０・・・杖、２１・・・第１把持部、２２・・・第２把持部、２３・・・グリップ部、２４・・・接地部（石突き）２５・・・本体、２６・・・第１部材、２７・・・第２部材、２８・・・調整手段、
【図１】
2007330693.tif 000003
【図２】
2007330693.tif 000004
【図３】
2007330693.tif 000005
【図４】
2007330693.tif 000006
【図５】
2007330693.tif 000007
【図６】
2007330693.tif 000008